(57)【要約】【課題】釣竿に強固に取付けることができると共に、締付けベルトの交換が容易で、小ロットの製品でも安価に製造することのできる竿先保護カバーを提供すること【解決手段】基端側の一側に、穂先側の小径竿管を順に収容した元竿管１６の先端部を受入れる側部開口２４を形成し、この側部開口から先端側に向けて釣糸ガイドを挿通するスリット２６を延設した筒状本体２２と、この筒状本体に固定され、側部開口２４を介して収容した元竿管１６の先端部をこの筒状本体に締付ける締付けベルト２８とを備え、この締付けベルト２８を筒状本体２２に固定する固定部材３５を、筒状本体２２に着脱可能に形成し、かつ、締付けベルト２８の一端側を係止する係止部をこの固定部材２２に設けた竿先保護カバー。【選択図】　　図１
2004089020.tif 000002
【特許請求の範囲】
【請求項１】
基端側の一側に、穂先側の小径竿管を順に収容した元竿管の先端部を受入れる側部開口を形成し、この側部開口から先端側に向けて釣糸ガイドを挿通するスリットを延設した筒状本体と、この筒状本体に固定され、側部開口を介して収容した元竿管の先端部をこの筒状本体に締付ける締付けベルトとを備える竿先保護カバーであって、この締付けベルトを筒状本体に固定する固定部材を、筒状本体に着脱可能に形成し、かつ、締付けベルトの一端側を係止する係止部をこの固定部材に設けたことを特徴とする竿先保護カバー。
【請求項２】
締付けベルトは、柔軟性部材で形成されることを特徴とする請求項１に記載の竿先保護カバー。
【請求項３】
前記係止部は、金属で形成されることを特徴とする請求項１に記載の竿先保護カバー。
【請求項４】
前記固定部材は、筒状本体の内面側に位置する内側固定片と、筒状本体の外面側に位置しかつ内側固定片に着脱可能な外側固定片とを有し、この内側固定片と、元竿管および筒状本体との間に、弾性部材が配置されることを特徴とする請求項１から３のいずれか１つに記載の竿先保護カバー。
【請求項５】
前記固定部材は、筒状本体の内面側に位置する内側固定片と、筒状本体の外面側に位置しかつ内側固定片に着脱可能な外側固定片とを有し、この外側固定片は、筒状本体に向く内端面が周縁部を突出させた凹面状に形成されることを特徴とする請求項１から４のいずれか１つに記載の竿先保護カバー。
【請求項６】
前記締付けベルトを筒状本体に固定する位置は、筒状部材の長手方向に沿って可変であることを特徴とする請求項１から５のいずれか１つに記載の竿先保護カバー。
【請求項７】
前記筒状本体は、前記固定部材をそれぞれが取付け可能な複数の取付孔を軸方向に沿って形成されることを特徴とする請求項６に記載の竿先保護カバー。
【請求項８】
前記筒状本体は、前記固定部材を取付ける軸方向に長い取付孔を有し、この取付孔に沿って、固定部材を軸方向に移動可能であることを特徴とする請求項６に記載の竿先保護カバー。
【発明の詳細な説明】
【０００１】
【発明の属する技術分野】
本発明は、元竿管に穂先側の小径竿管を順に収納した状態の振出式釣竿の竿先を保護する竿先保護カバーに関する。
【０００２】
【従来の技術】
例えば実公昭５６−５４７９８号公報には、竿先に取付ける弾性材製本体の上面に導糸環を突出させる切欠溝を形成し、基部の径寸法を変化させ得るようにした保護カバーが記載されている。この保護カバーには、その本体の段付き円筒状形状の基部に形成した２つの嵌着孔に、それぞれ複雑な形状の締付けベルトおよび係止フックが取付けられる。締付けベルトおよび係止フックは破損した場合は、これらの締付けベルトおよび係止フックの取替えが可能である。
【０００３】
【発明が解決しようとする課題】
しかし、この従来の保護カバーの場合には、本体と締付けベルトと係止フックとがそれぞれ複雑な形状を有し、その製作にはそれぞれ精密な金型を必要とするため、小ロットの製品を製作する場合にはコストが高くなる。また、硬質の本体に形成した嵌着孔に取付けるために、締付けベルトおよび係止フックの取付部は柔軟な弾性部材で形成する必要があり、したがって、締付けベルトおよび係止フックに大きな力が作用すると、本体から簡単に外れる可能性が高い。
【０００４】
本発明は、このような事情に基づいてなされたもので、釣竿に強固に取付けることができると共に、締付けベルトの交換が容易で、小ロットの製品でも安価に製造することのできる竿先保護カバーを提供することを目的とする。
【０００５】
【課題を解決するための手段】
上記目的を達成するため、本発明によると、基端側の一側に、穂先側の小径竿管を順に収容した元竿管の先端部を受入れる側部開口を形成し、この側部開口から先端側に向けて釣糸ガイドを挿通するスリットを延設した筒状本体と、この筒状本体に固定され、側部開口を介して収容した元竿管の先端部をこの筒状本体に締付ける締付けベルトとを備え、この締付けベルトを筒状本体に固定する固定部材を、筒状本体に着脱可能に形成し、かつ、締付けベルトの一端側を係止する係止部をこの固定部材に設けた竿先保護カバーが提供される。
【０００６】
【発明の実施の形態】
図１から図６は、本発明の好ましい実施形態による竿先保護カバー２０を示す。この竿先保護カバー２０は、例えば振出式スピニングルアーロッド１８を収納状態で持ち歩く際、元竿管１６の先端から突出する小径の穂先竿管１４および中竿管１２ａ〜１２ｅを保護するのに適したものである。
本実施形態の竿先保護カバー２０が保護するルアーロッド１８は、これに限るものではないが、図１に例示するルアーロッド１８について簡単に説明すると、次のような構造を備えている。
【０００７】
すなわち、このようなルアーロッド１８は、竿尻側に位置する大径の元竿管１６と穂先側の穂先竿管１４との間に、複数の中竿管１２ａ〜１２ｅを継合わせた全体に細径かつ軽量構造に形成される。そして、図示しない魚釣用リールから繰出した釣糸を案内するため、トップガイド１０を穂先竿１４の先端に固定し、各中竿管の先端部にはそれぞれ釣糸ガイド８ａ〜８ｅを固定してある。これらの釣糸ガイド８ａ〜８ｅは、特に元竿１６に固定した魚釣用リールから螺旋状に繰出される釣糸に与える抵抗を抑制しつつトップガイド１０まで導くために、トップガイド１０から竿尻側に離隔するほどガイドリングの口径が大きくかつ竿管から突出する高さを高く形成してある。特に、元竿管１６の近くに配置される中竿管１２ｄ，１２ｅの釣糸ガイド８ｄ，８ｅは口径の大きなガイドリングを竿管から離隔した位置に保持するため、竿管上に固定する固定部の外径および軸方向寸法が大きく、したがって、図１に示す収納状態であっても、元竿管１６内に収納できずに玉口部から突出する長さが長い。なお、元竿管１６と穂先竿管１４との間に配置する中竿管１２ａ〜１２ｅの本数については図示のような５本以外であってもよく、上述のような固定式の釣糸ガイド８ａ〜８ｅの他に、竿管上を移動可能な遊動ガイド（図示しない）を有するものであってもよい。
【０００８】
図１および図２に示すように、このようなルアーロッド１８の元竿管１６の先端部に固定して収納状態のルアーロッド１８を保護する本実施形態の竿管保護カバー２０は、両端が開口した中空円筒状の筒状本体２２を備える。この筒状本体２２は、全長にわたって均等な肉厚に形成した長尺のパイプ状部材から所要長さに切断することで形成してもよく、あるいは、当初から所要長さに形成したものでもよい。いずれの場合も、この筒状本体２２は、ルアーロッド１８の収納状態（図１）で元竿管１６の先端部から突出する部分を収容できる内径および軸方向長さに形成する。この筒状本体２２は、例えばポリカーボネート（ＰＣ）、ＡＢＳ樹脂、ナイロン等の樹脂材料、繊維強化樹脂、及び、アルミニウム、真鍮（ＢＳ）等の金属材料により、肉厚０．５〜３ｍｍ、長さ１２０〜１６０ｍｍ、内径９〜１５ｍｍ程度に形成することが好ましい。
【０００９】
この筒状本体２２の基端側の一側には、元竿管１６の先端部を側方から受入れ可能な側部開口２４を形成し、この側部開口２４から先端側に向けて、釣糸ガイド８ａ〜８ｅを挿通するスリット２６を形成してある。このスリット２６は、穂先側の例えば中竿管１２ａ，１２ｂに固定した釣糸ガイド８ａ，８ｂとの干渉を防止するために、これらの釣糸ガイド８ａ，８ｂのガイドリングを挿通可能な、例えば７．５ｍｍであるのが好ましい５〜９ｍｍの幅に形成してある。このような側部開口２４およびスリット２６は、例えばフライス盤を用いて加工することにより、極めて簡単に形成することができる。
【００１０】
また、この筒状本体２２の基端部の外面部には、ルアーロッド１８の元竿１６の先端部を筒状本体に締め付ける締付けベルト２８の一端が固定されている。この締付けベルト２８は、元竿管１６の損傷を防止するために、例えばゴム、エラストマー、皮革等の柔軟性部材で形成することが好ましい。
【００１１】
図３および図４に拡大して示すように、この締付けベルト２８は、筒状本体２２の基部に形成した取付孔３０に、筒状本体の内面側から挿通される小ねじ状に形成した内側固定片３２と、筒状本体の外面側に位置し、締付けベルト２８を貫通したこの内側固定片３２の先端部に螺合する袋ナット状に形成した外側固定片３４とを有する固定部材３５により、筒状本体２２の基端部に着脱可能に固定される。この外側固定片３４は、筒状本体２２に向く内端面３４ａが周縁部を突出させた凹面状に形成され、反対側の先端部は、締付けベルト２８に穿設した後述するベルト孔に挿通させて係止する略球状の膨出部３４ｂを形成してある。これにより、外側固定片３４は、締付けベルト２８の一端側を形成する係止部として作用する。
【００１２】
これらの内側固定片３２と外側固定片３４とは、締付けベルト２８に作用する大きな力に耐えるため、ステンレス鋼、アルミニュームあるいは真鍮等の金属で形成することが好ましい。なお、この固定部材３５は、上述のような螺合に限らず、圧入により相互に固定させることも可能である。この場合には、少なくとも一方を弾性変形可能な硬質樹脂で形成することが好ましい。
【００１３】
図２の（Ａ）に示すように、締付けベルト２８の先端側の適宜位置に、複数のベルト孔２８ａを形成してあり、この締付けベルト２８を元竿管１６の周部に巻き付け、所要位置のベルト孔２８ａに外側固定片３４の先端に形成した膨出部３４ｂを挿通することで、元竿管１６と筒状本体２２とを一体的に締付け、固定することができる。また、この締付けベルト２８が途中で破断した場合には、外側固定片３４を内側固定片３２から外し、締付けベルト２８のみを交換することができる。
【００１４】
更に、内側固定片３２の基端側で、側部開口２４およびスリット２６に対向する部位に、筒状本体２２の内面から突出する突出部３６を配置してある。この突出部３６は、側部開口２４およびスリット２６に対向する側で最も高く筒状本体２２の内面から突出している。このため、元竿管１６を締付けベルト２８で筒状本体２２に締め付けたときに、元竿管１６の中心軸１６ａが、穂先側でスリット２６および筒状本体２２の中心軸線Ｃから離隔する方向に傾斜する。
【００１５】
本実施形態では、突出部３６は、例えばゴム、エラストマー、コルク、発泡剤、スポンジ等で形成した柔軟性厚肉部材３８を、例えばゴム、エラストマー、コルク、発泡剤、スポンジ等で形成したクッション材４０で挟み込み、筒状本体２２の内面から０．９〜２．８ｍｍ程度の高さに突出させてある。このクッション材４０は、更に、筒状本体２２に近接する内側端部４０ａとその反対側の外側端部４０ｂとを厚肉部材３８から先端側に延設し、内側端部４０ａを内側固定片３２の頭部と筒状本体２２との間の緩衝材として作用させ、外側端部４０ｂを元竿管１６が内側固定片３２の頭部に直接接触するのを防止する緩衝材として作用させている。
【００１６】
図５および図６は、突出部３６を形成する本実施形態の厚肉部材３８とクッション材４０とを示す。厚肉部材３８は厚さが内側固定片３２の頭部３２ａよりも厚い０．５〜１．５ｍｍ、長さが３〜７ｍｍ、幅が３〜７ｍｍの板ゴムで形成してある。また、クッション材４０は、厚さが０．２〜０．８ｍｍ、長さが５３〜６５ｍｍ、内側固定片３２の挿通孔３９を形成した内側端部４０ａ側の幅が４〜８ｍｍ、外側端部４０ｂ側の幅が１０〜１４ｍｍに形成してあり、厚肉部材３８を挟み込んで筒状部材に取り付けたときに、外側端部４０ｂが厚肉部材３８、内側固定片３２の頭部３２ａおよび内側端部４０ａを完全に覆い、外部に露出するのを防止する。これらの厚肉部材３８とクッション材とは、いずれもＪＩＳＫ６２５３によるデュロメータ硬さ試験、タイプＥによる硬度で測定したゴム硬度を４０°〜６０°に形成してある。このような硬さとすることにより、元竿管１６に傷が付くのを防止すると共に、締付けベルト２８を締付けたときに、強固かつ確実に固定することができる。
【００１７】
図７の（Ａ）に交差線で示すように、クッション材４０の一側には、全面にわたって接着剤あるいは両面粘着テープを配置し、反対側には、図７の（Ｂ）に示すように、幅狭の内側端部４０ａ側すなわち筒状本体２２に接する部分のみに接着剤あるいは両面粘着テープを配置する。そして、クッション材４０に形成した挿通孔３９を筒状本体に形成した取付孔３０に合わせ、内側固定片３２を挿通した後、外側固定片３４により、筒状本体２２との間に締付けベルト２８を固定する。クッション材４０の外側端部４０ｂを折り返して厚肉部材３８および内側固定片３２の頭部３２ａを覆う。
【００１８】
これにより、クッション材４０で覆われた内側固定片３２の頭部３２ａが、筒状部材２２の内面から突出し、元竿管１６を支える受部を形成する。そして、この内側固定片３２の頭部３２ａで形成される受部よりも突出した突出部３６が、筒状部材２２の後端側に形成される。したがって、クッション材４０は、内側固定片３２と、元竿管１６および筒状本体２２との間に介挿され、緩みと破損とを防止する弾性部材としても作用する。
【００１９】
一方、筒状部材２２の先端部には、装飾を兼ねたキャップ４２を取付け、先端開口から穂先竿１４等が突出するのを防止することが好ましい。このキャップ４２は、筒状本体２２およびルアーロッド１８の先端部を保護するために、金属あるいは硬質樹脂等の硬質部材で形成することが好ましい。なお、厚肉部材３８は、図４に示すような矩形形状に限らず、円形、楕円形あるいは多角形状等の適宜の形状に形成することが可能である。
【００２０】
本実施形態の竿管保護カバー２０では、締付けベルト２８を固定する内側固定片３２の頭部をクッション材４０で覆うことで形成した受部と、これよりも基端側で高く突出する突出部３６とが、筒状本体２２の基端部でその幅方向の中央部で、軸線方向に沿って整合した状態に配置される。このため、側部開口２４を介して元竿管１６の先端部を受入れ、締付けベルト２８で固定したときに、この元竿管１６が内側固定片３２の頭部で形成される受部と、これよりも基端側の突出部３６とに当接して支えられる。受部が筒状本体の内面から突出する高さは、突出部３６よりも低いため、元竿管１６は、その軸線１６ａが、図１に示すように、穂先側でスリット２６から離隔する方向に傾けた状態で固定される。
【００２１】
収納状態のルアーロッド１８の元竿管１６の先端部に、このように竿先保護カバー２０を取付けた状態では、この元竿管１６の玉口部から突出する中竿１２ａ〜１２ｄおよび穂先竿管１４も、筒状本体２２内でスリット２６から離隔する方向に傾斜した状態に配置される。穂先竿管１４に取付けられたトップガイド１０は筒状本体２２内に収容された筒状本体２２内に配置され、各中竿管１２ａ〜１２ｅに取付けられた釣糸ガイド８ａ〜８ｅはスリット２６を介して外部に突出する。図１では、穂先側の中竿管１２ａ，１２ｂの釣糸ガイド８ａ，８ｂがスリット２６内に位置する状態で示してあるが、元竿管１６が上述のように傾斜して保持される限り、筒状本体２２内に位置しあるいは他の釣糸ガイド８ｃ〜８ｅと同様に外方に突出してもよい。
【００２２】
竿先保護カバー２０をこのように取付けた状態では、釣糸ガイド８ａ〜８ｅがスリット２６に挿通されているため、このスリット２６により中竿管１２ａ〜１２ｅの回動が規制される。また、中竿管１２ａ〜１２ｅおよび穂先竿管１４が先端側に向けて軸方向に移動すると、筒状本体２２の内面に当接し、それ以上の移動が規制される。更に、先端部に取付けたキャップ４２は、穂先竿管１４およびこれに隣接する中竿管１２ａが先端開口から抜出るのを防止する。
【００２３】
そして、締付けベルト２８を筒状本体２２の基部に固定する固定部材３５を、筒状本体２２に着脱可能に形成し、かつ、締付けベルト２８の一端側を係止する係止部をこの固定部材３５の外側固定片３４で形成したことにより、締付けベルト２８が破損したときに、この締付ベルト２８のみを交換することができる。この締付けベルト２８は、固定部材３５により、筒状本体２２の基部に取付けられるため、従来の保護カバーのように、締付けベルトおよび本体に複雑な固定部を形成する必要がない。このため、精密な金型を用いることなく、通常の柔軟な板状弾性部材を加工するだけで締付けベルト２８を容易に製造することができ、締付けベルト２８の生産必要量が少ない場合であっても、極めて安価に製造することができる。しかも、この締付けベルト２８を筒状本体２２に取付ける固定部材３５が、元竿管１６を筒状本体２２に締付ける締付けベルト２８の一端側を係止する係止部を兼ねるため、従来のように、固定部と係止部とを別個に設ける必要がなく、製造コストを低減することができる。
【００２４】
また、締付けベルト２８が柔軟性部材で形成されることにより、元竿管１６を筒状本体２２に締付けたときに、この元竿管１６が外側から弾力的に押圧される。これにより、元竿管１６および固定部材３５が弾力的に付勢され、緩みを防止される。更に、このような弾力的な付勢力により、径の異なる元竿管１６にも好適に取付けることができる。
【００２５】
このような固定部材３５を金属で形成した場合には、耐衝撃性が高いため、釣竿１８が転倒し、あるいは、他の部材と衝突した場合でも、固定部材３５の係止部すなわち外側固定片３４が損傷するのが防止される。
【００２６】
この固定部材３５の内側固定片３２と、元竿管１６および筒状本体２２との間に、クッション材４０配置されることにより、内側固定片３２と、元竿管１６および筒状本体２２との間の緩みと破損あるいは損傷とが防止される。
【００２７】
また、固定部材３５の外側固定片３４は、筒状本体２２に向く内端面３４ａが周縁部を突出させた凹面状に形成され、この内端面３４ａで締付けベルト２８を押圧するため、突出する周縁部が締付けベルト２８に強く圧接され、これにより、締付けベルト２８は筒状本体２２に強固に固定され、緩み難い。
【００２８】
なお、図８および図９に示すように、締付けベルト２８の取付け位置は、筒状本体２２上で調整可能とすることもできる。例えば、図８に示すように複数の取付孔３０、あるいは、図９に示すように長孔により取付孔３０を筒状本体２２に形成してもよい。いずれの場合も、収納時に元竿管１６から突出する中竿管１２ａ〜１２ｅおよび穂先竿管１４の突出長さ等の寸法に応じて、締付けベルト２８の取付位置を容易に調整することができる。他の点は上述の実施形態と同様である。
【００２９】
【発明の効果】
以上明らかなように、本発明によれば、釣竿に強固に取付けることができると共に、締付けベルトの交換が容易で、小ロットの製品でも安価に製造することのできる竿先保護カバーが提供される。
【図面の簡単な説明】
【図１】本発明の好ましい実施形態による竿先保護カバーをルアーロッドに取付けた状態の縦断面図。
【図２】図１に示す竿先保護カバーを示し、（Ａ）は平面図、（Ｂ）はＢ−Ｂ線に沿う断面図、（Ｃ）はＣ−Ｃ線に沿う断面図。
【図３】図１に示す竿先保護カバーの締付けベルトの取付部の拡大断面図。
【図４】締付けベルトを筒状本体に固定する固定部材を示し、（Ａ）は内側固定片の説明図、（Ｂ）は外側固定片の説明図。
【図５】突出部を形成する厚肉部材を示し、（Ａ）は平面図、（Ｂ）はＢ−Ｂ線に沿う側面図。
【図６】クッション材を示し、（Ａ）は平面図、（Ｂ）はＢ−Ｂ線に沿う側面図。
【図７】クッション材に取付ける両面粘着テープの配置を示し、（Ａ）は一側面側、（Ｂ）は他側面側の説明図。
【図８】変形例による竿先保護カバーの底面図。
【図９】他の変形例による竿先保護カバーの底面図。
【符号の説明】
２０…竿先保護カバー、２２…筒状本体、２４…側部開口、２６…スリット、２８…締付けベルト、３２…内側固定片、３４…外側固定片、３５…固定部材。
【図１】
2004089020.tif 000003
【図２】
2004089020.tif 000004
【図３】
2004089020.tif 000005
【図４】
2004089020.tif 000006
【図５】
2004089020.tif 000007
【図６】
2004089020.tif 000008
【図７】
2004089020.tif 000009
【図８】
2004089020.tif 000010
【図９】
2004089020.tif 000011